(57)【要約】【課題】副偏向ヨークの消費電力を低減できる偏向ヨークを提供することを目的とする。【解決手段】主偏向ヨークのフェライトコア１８にトロイダル状にコイル２０を巻線して、コイル２０の一方の巻き始め線２０−２−ａと垂直副偏向コイル１２の一方の巻き始め線１２−２−ａと結線し、垂直副偏向コイル１２の他方の巻き始め線１２−１−ａとコイル２０の他方の巻き始め線２０−１−ａとを垂直副偏向回路に接続することで、垂直副偏向磁界を主偏向ヨーク内部に作ることができる。コイル２０の作る垂直副偏向磁界は副偏向ヨークの作る磁界と同一の動作をするので、従来の偏向ヨークに比べて垂直副偏向ヨークの消費電力を低減することができる。【選択図】図２
2005166518.tif 000002
【特許請求の範囲】
【請求項１】
一対の水平偏向コイルと一対の垂直偏向コイルからなる主偏向ヨークと、電子銃側後端部に副偏向ヨークとを有する偏向ヨークであって、主偏向ヨークの水平偏向コイルと垂直偏向コイルを覆うように取り付けられた主偏向ヨークのフェライトコアにトロイダル状に巻線を巻き、この巻線と副偏向コイルの中の垂直副偏向コイルとを直列に接続したことを特徴とする偏向ヨーク。
【請求項２】
一対の水平偏向コイルと一対の垂直偏向コイルからなる主偏向ヨークと、電子銃側後端部に副偏向ヨークとを有する偏向ヨークであって、主偏向ヨークの水平偏向コイルと垂直偏向コイルを覆うように取り付けられた主偏向ヨークのフェライトコアにトロイダル状に巻線を巻き、この巻線と副偏向コイルの中の水平副偏向コイルとを直列に接続したことを特徴とする偏向ヨーク。
【請求項３】
一対の水平偏向コイルと一対の垂直偏向コイルからなる主偏向ヨークと、電子銃側後端部に副偏向ヨークとを有する偏向ヨークであって、主偏向ヨークの水平偏向コイルと垂直偏向コイルを覆うように取り付けられた主偏向ヨークのフェライトコアにトロイダル状に巻線を巻き、垂直方向の巻線と副偏向コイルの中の垂直副偏向コイルを直列に接続し、水平方向の巻線と副偏向コイルの中の水平副偏向コイルとを直列に接続したことを特徴とする偏向ヨーク。
【請求項４】
一対の水平偏向コイルと一対の垂直偏向コイルからなる主偏向ヨークと、電子銃側後端部に副偏向ヨークとを有し、主偏向ヨークの水平偏向コイルと垂直偏向コイルを覆うように取り付けられた主偏向ヨークのフェライトコアにトロイダル状に巻線を巻き、この巻線と副偏向コイルの中の垂直副偏向コイルとを直列に接続する偏向ヨークであって、主偏向ヨークのフェライトコアの上下に巻線のための凹部を設けたことを特徴とする偏向ヨーク。
【発明の詳細な説明】
【技術分野】
【０００１】
本発明は、ブラウン管三管方式投射型受像機、プロジェクター映写機に用いる偏向ヨークに関するものである。
【背景技術】
【０００２】
偏向ヨークは陰極線管（ブラウン管）の電子銃から射出される電子ビームを偏向させ、画面を表示させるものであり、一対の水平偏向コイルと一対の垂直偏向コイルを有している。以下、従来の偏向ヨークについて説明する。
【０００３】
図８は従来の偏向ヨークの構成を表す図、図９は従来の偏向ヨークの動作を表す図、図１０は従来の副偏向ヨークが補正している画面歪みを表す図、図１１は従来の副偏向ヨークが補正している画面歪みを表す図、図１２は従来の副偏向ヨークを表す図、図１３は従来の副偏向ヨークを表す図、図１４は従来の副偏向ヨークの動作を表す図、図１５は従来の副偏向ヨークの動作を表す図、図１６は従来の主偏向ヨークの断面図、図１７は従来の主偏向ヨークのフェライトコアを示す斜視図、図１８は従来の主偏向ヨークのフェライトコアを示す斜視図である。
【０００４】
図８に示すように副偏向ヨーク１は主偏向ヨーク２の電子銃側後端部にとりつけられている。３はカバー、４はセンタリングマグネット、５は金属製のバンドを示している。
【０００５】
図９において、偏向ヨークはブラウン管６に取り付けられ、ブラウン管６の管面上に画像を作る水平及び垂直偏向磁界を形成している。投射型受像機やプロジェクター映写機においては、ブラウン管６の管面に設けた複数枚（図９においては１枚のみ記載）のレンズ７によって画像を拡大しスクリーン８上に画像９を投影している。
【０００６】
投射型受像機及びプロジェクター映写機は赤、緑、青の３色のブラウン管を配置し３つの画像をスクリーン上で重ねて、カラー映像を得るものであるので、異なる角度から３つの画像をズレなく重ね合わせるために、画像の位置補正や図１０、図１１の副偏向ヨークが補正している画面歪みを表す図に示すような画像のピンクッション歪みや台形歪みの補正を行う副偏向コイルを設けて３色の画像を一致させている（例えば特許文献１参照）。
【０００７】
従来の副偏向ヨークは図１２、図１３に示すようにリング状のフェライトコア１０にトロイダル状に巻線された水平副偏向コイル１１、垂直副偏向コイル１２からなっている。１３はブラウン管のガラス管を表している（例えば特許文献２参照）。
図１４、図１５は図１２に示す従来の副偏向ヨークについて、その動作を説明する図である。図１２に示すように一対の垂直副偏向コイル１２は巻き始め線１２−１−ａおよび１２−２−ａと巻き終わり線１２−１−ｂおよび１２−２−ｂを有しており、図１４に示すように巻き終わり線１２−１−ｂと１２−２−ｂを結線し、巻き始め線１２−１−ａと１２−２−ａを垂直副偏向回路に接続することで垂直副偏向磁界１４を作っている。
【０００８】
図１２に示すように一対の水平副偏向コイル１１は巻き始め線１１−１−ａおよび１１−２−ａと巻き終わり線１１−１−ｂおよび１１−２−ｂを有しており、図１５に示すように巻き終わり線１１−１−ｂと１１−２−ｂを結線し、巻き始め線１１−１−ａと１１−２−ａを水平副偏向回路に接続することで水平副偏向磁界１５を作っている。以下の説明においては、垂直および水平の一対の副偏向コイルを巻き終わり線の接続によって１個
のコイルとする説明を省略する。
【０００９】
図１６は従来の主偏向ヨークの断面図、図１７、図１８は従来の主偏向ヨークのフェライトコアを示す斜視図である。図１６に示すように、従来の偏向ヨークの主偏向ヨークは、水平偏向コイル１６と垂直偏向コイル１７を覆うように主偏向ヨークのフェライトコア１８が取り付けられており、主偏向ヨークのフェライトコア１８は、図１７に示すようにその全長に渡って内径が均一なストレート型、または図１８に示すようにフェライトコアの全長の一部は内径均一な部分を有する略円錐形をしている。またフェライトコアは分割面１９によって２つに分割されており、偏向ヨーク組み立て時にコア止め金具（図示せず）や接着剤によって固定され円形のフェライトコアを形成している。
【特許文献１】実開昭６３−９５１６０号公報
【特許文献２】特開平３−２５７７４２号公報
【発明の開示】
【発明が解決しようとする課題】
【００１０】
上記のように、副偏向ヨークは三管式プロジェクターの赤、青、緑の３色の画像を一致させ良好な投影画像を得るのに必要不可欠な部品であるが、副偏向ヨークの消費電力は全偏向系回路の消費電力の約３０％を占め、プロジェクションＴＶセット全体の低消費電力化には副偏向ヨークの低消費電力化（高能率化）が必要である。
【００１１】
そこで本願発明は、垂直副偏向ヨークの消費電力を低減した偏向ヨークを提供することを目的とする。
【課題を解決するための手段】
【００１２】
請求項１に記載の偏向ヨークは、一対の水平偏向コイルと一対の垂直偏向コイルからなる主偏向ヨークと、電子銃側後端部に副偏向ヨークとを有する偏向ヨークであって、主偏向ヨークの水平偏向コイルと垂直偏向コイルを覆うように取り付けられた主偏向ヨークのフェライトコアにトロイダル状に巻線を巻き、この巻線と副偏向コイルの中の垂直副偏向コイルとを直列に接続した。
【００１３】
請求項２に記載の偏向ヨークは、一対の水平偏向コイルと一対の垂直偏向コイルからなる主偏向ヨークと、電子銃側後端部に副偏向ヨークとを有する偏向ヨークであって、主偏向ヨークの水平偏向コイルと垂直偏向コイルを覆うように取り付けられた主偏向ヨークのフェライトコアにトロイダル状に巻線を巻き、この巻線と副偏向コイルの中の水平副偏向コイルとを直列に接続した。
【００１４】
請求項３に記載の偏向ヨークは、一対の水平偏向コイルと一対の垂直偏向コイルからなる主偏向ヨークと、電子銃側後端部に副偏向ヨークとを有する偏向ヨークであって、主偏向ヨークの水平偏向コイルと垂直偏向コイルを覆うように取り付けられた主偏向ヨークのフェライトコアにトロイダル状に巻線を巻き、垂直方向の巻線と副偏向コイルの中の垂直副偏向コイルを直列に接続し、水平方向の巻線と副偏向コイルの中の水平副偏向コイルとを直列に接続した。
【００１５】
請求項４に記載の偏向ヨークは、一対の水平偏向コイルと一対の垂直偏向コイルからなる主偏向ヨークと、電子銃側後端部に副偏向ヨークとを有し、主偏向ヨークの水平偏向コイルと垂直偏向コイルを覆うように取り付けられた主偏向ヨークのフェライトコアにトロイダル状に巻線を巻き、この巻線と副偏向コイルの中の垂直副偏向コイルとを直列に接続する偏向ヨークであって、主偏向ヨークのフェライトコアの上下に巻線のための凹部を設けた。
【発明の効果】
【００１６】
本発明の偏向ヨークは、主偏向ヨークの水平偏向コイルと垂直偏向コイルを覆うように
取り付けられた主偏向ヨークのフェライトコアにトロイダル状に巻線を巻き、この巻線と副偏向コイルの中の垂直副偏向コイルとを直列に接続したことにより、垂直副偏向ヨークの消費電力を低減した偏向ヨークを提供できる。
【発明を実施するための最良の形態】
【００１７】
（実施の形態１）
図１は本発明の実施の形態１における主偏向ヨークの断面図、図２は本発明の実施の形態１における主偏向ヨークのフェライトコアと副偏向ヨークの斜視図である。
【００１８】
図１に示すように、本発明の実施の形態１における偏向ヨークでは、主偏向ヨークのフェライトコア１８にトロイダル状に巻線であるコイル２０を巻いて、図２に示すようにコイル２０の一方の巻き始め線２０−２−ａと垂直副偏向コイル１２の一方の巻き始め線１２−２−ａと結線し、垂直副偏向コイル１２の他方の巻き始め線１２−１−ａとコイル２０の他方の巻き始め線２０−１−ａとを垂直副偏向回路に接続することで、図１に示す垂直副偏向磁界２１を主偏向ヨーク内部に作ることができる。
【００１９】
図１４に示す従来の垂直副偏向ヨークの作る垂直副偏向磁界１４と本実施の形態１のコイル２０の作る垂直副偏向磁界２１は同一の動作をするので、本発明の実施の形態１における偏向ヨークでは従来の偏向ヨークに比べて垂直副偏向ヨークの消費電力を４０％低減することができる。
【００２０】
（実施の形態２）
図３は本発明の実施の形態２における主偏向ヨークの断面図、図４は本発明の実施の形態２における主偏向ヨークのフェライトコアと副偏向ヨークの斜視図である。
【００２１】
図３に示すように本発明の実施の形態２における偏向ヨークでは、主偏向ヨークのフェライトコア１８にトロイダル状にコイル２２を巻線して、図４に示すようにコイル２２の一方の巻き始め線２２−２−ａと水平副偏向コイル１１の一方の巻き始め線１１−２−ａと結線し水平副偏向コイル１１の他方の巻き始め線１１−１−ａとコイル２２の他方の巻き始め線２２−１−ａとを水平副偏向回路に接続することで図３に示す水平副偏向磁界２３を主偏向ヨーク内部に作ることができる。
【００２２】
（実施の形態３）
図５は本発明の実施の形態３における主偏向ヨークの断面図、図６は本発明の実施の形態３における主偏向ヨークのフェライトコアと副偏向ヨークの斜視図である。
【００２３】
図５に示すように本発明の実施の形態３における偏向ヨークでは、主偏向ヨークのフェライトコア１８にトロイダル状にコイル２０とコイル２２を巻線して、図６に示すようにコイル２０の一方の巻き始め線２０−２−ａと垂直副偏向コイル１２の一方の巻き始め線１２−２−ａと結線し垂直副偏向コイル１２の他方の巻き始め線１２−１−ａとコイル２０の他方の巻き始め線２０−１−ａとを垂直副偏向回路に接続することで図５に示す垂直副偏向磁界２１を主偏向ヨーク内部に作ることができる。また、コイル２２の一方の巻き始め線２２−２−ａと水平副偏向コイル１１の一方の巻き始め線１１−２−ａとを結線し水平副偏向コイル１１の他方の巻き始め線１１−１−ａとコイル２２の他方の巻き始め線２２−１−ａとを水平副偏向回路に接続することで、図５に示す水平副偏向磁界２３を主偏向ヨーク内部に作ることができる。
【００２４】
（実施の形態４）
図７は本発明の実施の形態４における主偏向ヨークのフェライトコアの斜視図である。フェライトコア１８の上面部及び下面部にフェライトコアの凹部２４を設けることにより
、実施の形態１〜３で説明したコイル２０及び２２の巻線性を向上し、巻線の位置ズレを防止することができる。
【産業上の利用可能性】
【００２５】
本発明の偏向ヨークは、主偏向ヨークの水平偏向コイルと垂直偏向コイルを覆うように取り付けられた主偏向ヨークのフェライトコアにトロイダル状に巻線を巻き、この巻線と副偏向コイルの中の垂直副偏向コイルとを直列に接続したことにより垂直副偏向ヨークの消費電力を低減でき、偏向ヨークとして有用である。
【図面の簡単な説明】
【００２６】
【図１】本発明の実施の形態１における主偏向ヨークの断面図
【図２】本発明の実施の形態１における主偏向ヨークのフェライトコアと副偏向ヨークの斜視図
【図３】本発明の実施の形態２における主偏向ヨークの断面図
【図４】本発明の実施の形態２における主偏向ヨークのフェライトコアと副偏向ヨークの斜視図
【図５】本発明の実施の形態３における主偏向ヨークの断面図
【図６】本発明の実施の形態３における主偏向ヨークのフェライトコアと副偏向ヨークの斜視図
【図７】本発明の実施の形態４における主偏向ヨークのフェライトコアの斜視図
【図８】従来の偏向ヨークの構成を表す図
【図９】従来の偏向ヨークの動作を表す図
【図１０】従来の副偏向ヨークが補正している画面歪みを表す図
【図１１】従来の副偏向ヨークが補正している画面歪みを表す図
【図１２】従来の副偏向ヨークを表す図
【図１３】従来の副偏向ヨークを表す図
【図１４】従来の副偏向ヨークの動作を表す図
【図１５】従来の副偏向ヨークの動作を表す図
【図１６】従来の主偏向ヨークの断面図
【図１７】従来の主偏向ヨークのフェライトコアを示す斜視図
【図１８】従来の主偏向ヨークのフェライトコアを示す斜視図
【符号の説明】
【００２７】
１１    水平副偏向コイル
１１−１−ａ    水平副偏向コイルの巻き始め線
１１−１−ｂ    水平副偏向コイルの巻き終り線
１１−２−ａ    水平副偏向コイルの巻き始め線
１１−２−ｂ    水平副偏向コイルの巻き終り線
１２    垂直副偏向コイル
１２−１−ａ    垂直副偏向コイルの巻き始め線
１２−１−ｂ    垂直副偏向コイルの巻き終り線
１２−２−ａ    垂直副偏向コイルの巻き始め線
１２−２−ｂ    垂直副偏向コイルの巻き終り線
１３    ブラウン管のガラス管
１４    垂直副偏向磁界
１５    水平副偏向磁界
１６    水平偏向コイル
１７    垂直偏向コイル
１８    主偏向ヨークのフェライトコア
１９    フェライトコアの分割面
２０    コイル
２１    垂直副偏向磁界
２２    コイル
２３    水平副偏向磁界
２４    フェライトコアの凹部
【図１】
2005166518.tif 000003
【図２】
2005166518.tif 000004
【図３】
2005166518.tif 000005
【図４】
2005166518.tif 000006
【図５】
2005166518.tif 000007
【図６】
2005166518.tif 000008
【図７】
2005166518.tif 000009
【図８】
2005166518.tif 000010
【図９】
2005166518.tif 000011
【図１０】
2005166518.tif 000012
【図１１】
2005166518.tif 000013
【図１２】
2005166518.tif 000014
【図１３】
2005166518.tif 000015
【図１４】
2005166518.tif 000016
【図１５】
2005166518.tif 000017
【図１６】
2005166518.tif 000018
【図１７】
2005166518.tif 000019
【図１８】
2005166518.tif 000020